(57)【要約】【課題】親機及び親機に対して段数制限された複数段の階層で無線接続される複数の子機からなる無線通信システムにおいて、段数オーバーとなった子機が発信した通報電文を親機に伝達できるようにする。【解決手段】段数オーバー判断手段３１１は、直下の子機からの通報電文中の通報ルート情報に基づいて、段数オーバーの有無を判断する。段数オーバーがあると判断されたとき、ルート情報処理手段３１２は、直下の子機の端末ＩＤを自端末の端末ＩＤに書換えた新たな通報ルート情報を生成する。新たな通報ルート情報を有する通報電文は直上の端末に送信される。【選択図】図３
2019165403.tif 000002
【特許請求の範囲】
【請求項１】
親機及び親機に対して段数制限された複数段の階層で無線接続される複数の子機からなる無線通信システムであって、
前記子機は、
直下の子機から送信された通報電文を受信する通報電文受信手段と、
前記通報電文受信手段で受信された通報電文中の下位の子機の識別情報からなる通報ルート情報に基づいて、段数オーバーが発生したか否かを判断する段数オーバー判断手段と、
前記段数オーバー判断手段により段数オーバーが発生したと判断されたとき、少なくとも前記直下の子機の識別情報を所定の情報に書換えるルート情報処理手段と、
を有する無線通信システム。
【請求項２】
請求項１に記載された無線通信システムにおいて、
前記所定の情報は、自端末の識別情報である無線通信システム。
【請求項３】
請求項１に記載された無線通信システムにおいて、
前記所定の情報は、段数オーバーが発生したことを表す情報である無線通信システム。
【請求項４】
請求項３に記載された無線通信システムにおいて、
前記ルート情報処理手段は、前記通報電文の発信元子機の識別情報以外の識別情報を前記所定の情報に書換える無線通信システム。
【請求項５】
請求項３に記載された無線通信システムにおいて、
前記子機は、前記所定の情報を含む通報電文に対する応答電文を受信したとき、前記応答電文を直下の子機に送信する無線通信システム。
【発明の詳細な説明】
【技術分野】
【０００１】
本発明は無線通信システムに関する。
【背景技術】
【０００２】
親機、及び親機に対して階層的に無線接続される複数段の子機からなる無線通信システムと、センタ装置とを有し、子機で取得された監視情報（ガスメータや水道メータの検針値、ガス漏れ警報や電池残量低下警報等）を親機経由でセンタ装置に通報する遠隔監視システムがある（特許文献１）。
【０００３】
この遠隔監視システムにおいて、センタ装置−親機間は無線や有線の公衆回線を介して通信を行い、「親機，１段目子機，２段目子機，・・・，Ｎ段目子機」により構成される無線通信システム内の無線通信は特定小電力無線などを用いて行う。
【０００４】
各子機は、親機から例えば１００ｍ程度の距離単位毎に一つの階層を構成するように配置されている。また、子機の段数については、遠隔管理システムのシステム設計の段階で一定段数（例えば３段）に制限されている。また、センタ装置には親機と子機で構成する複数の通信ルート情報、当該子機の段数などが、また各子機には、通信相手先情報（直上の端末の端末ＩＤ及び段数）と自端末の段数が通信ルート毎に保存されている。
【０００５】
子機の通信ルートの登録は例えば以下のように実施される。子機が新規に設置されると、子機は、まず自端末の端末ＩＤ（識別情報）を付加したルート検索電文を周囲にブロードキャストし、所定時間内に周囲の端末（親機、子機）からの応答があるか否かチェックする。
【０００６】
所定時間内に応答があった場合、応答電文に含まれている端末ＩＤ、電界強度、段数から通信条件の良い端末を選択し、最終的に１つ以上の通信ルート情報（通信相手先情報）、つまり通信相手となる直上の端末の端末ＩＤ及び段数を通信ルート毎に自端末の記憶部に格納する。
【０００７】
また、この時に取得した電界強度や段数から、例えば段数が少なく、かつ電界強度の強い順に、第１通信ルート、第２通信ルート等のルート番号（優先順位）を付ける。そして、これらの通信ルートの登録要求の電文（この電文には、自端末の端末ＩＤ、直上の端末の端末ＩＤ、段数、及び電界強度が含まれている）をセンタ装置に送信する。センタ装置は、登録要求の電文を受信し、通信ルートを登録する。
【０００８】
各子機にはガスメータ、水道メータ、ガス漏れ検知器等のセンサが接続されており、それらのセンサで生成された監視情報を取得し、通信ルート上の上位の子機経由で、すなわち上位の子機を中継子機として親機に通報するマルチホップ通信を行う。
【０００９】
より詳しくは、監視情報を取得した子機は、第１通信ルート上の直上子機に対して監視情報及び通報ルート情報としての自端末の端末ＩＤを含む通報電文を発信し、これを受けた上記子機（中継子機）も同様の動作を行い、上記通報電文を親機経由でセンタ装置まで伝送する。ここで、第１通信ルートが通信不可となった場合、第２通信ルートに切り替えて再発信を行い、第２通信ルートも通信不可となった場合、第３通信ルートに切り替えて再発信を行うなど、複数保持している通信ルートを切り替えながら再発信を行う。保持している全ての通信ルートが通信不可のとき、前述した新規設置時の手順で新たな通信ルートを登録する。なお、以下の説明において、通報電文を発信する子機を発信元子機又は発信元端末と言う。
【００１０】
従来の遠隔監視システムは上記のように構成されているため、新たな通信ルートを登録した子機の段数が変化する場合がある。この場合、その子機の配下の子機、すなわち、その子機を中継子機としていた子機の段数も変化する。
【００１１】
例えば１段目のある子機、すなわち親機の直下のある子機（以下、第１子機）は、親機との間に通信エラーが発生したため、１段目の他の子機（以下、第２子機）を介して親機と通信する経路を新たな通信ルートとした場合、第１子機の段数は１段から２段に増える。このため、第１子機の直下の子機（以下、第３子機）の段数も１段増えて３段となり、第３子機の直下に子機（以下、第４子機）があった場合、第４子機の段数も１段増えて４段目となる。
【００１２】
しかし、子機の段数が３段に制限されている場合、４段目となった第４子機から発信された通報電文は１段目の子機に到達したときに、その通報電文に含まれている通報ルート情報（４段目から２段目の子機の端末ＩＤ）の数が制限値に達していることから、段数オーバーと判断される。このため、第４子機から発信された通報電文は親機に伝達されず、段数が制限値を超えたこと（以下、段数オーバーの発生）が第４子機に通知されるのみとなる。
【００１３】
段数オーバーを通知された子機は、複数保持している通信ルートを切り替えながら再発信したり、新たな通信ルートの登録を行い、その通信ルートで再発信したりする。
【先行技術文献】
【特許文献】
【００１４】
【特許文献１】特開２０１０−８７７６１号公報
【発明の概要】
【発明が解決しようとする課題】
【００１５】
このように従来の通信システムには、子機の段数が制限されているため、子機が段数オーバーとなった場合、その子機が発信した通報電文を親機に伝達できなくなるという問題がある。
【００１６】
本発明は、このような問題を解決するためになされたものであり、その目的は、親機及び親機に対して段数制限された複数段の階層で無線接続される複数の子機からなる無線通信システムにおいて、段数オーバーとなった子機が発信した通報電文を親機に伝達できるようにすることである。
【課題を解決するための手段】
【００１７】
本発明は、親機及び親機に対して段数制限された複数段の階層で無線接続される複数の子機からなる無線通信システムであって、前記子機は、直下の子機から送信された通報電文を受信する通報電文受信手段と、前記通報電文受信手段で受信された通報電文中の下位の子機の識別情報からなる通報ルート情報に基づいて、段数オーバーが発生したか否かを判断する段数オーバー判断手段と、前記段数オーバー判断手段により段数オーバーが発生したと判断されたとき、少なくとも前記直下の子機の識別情報を所定の情報に書換えるルート情報処理手段と、を有する無線通信システムである。
【発明の効果】
【００１８】
親機及び親機に対して段数制限された複数段の階層で無線接続される複数の子機からなる無線通信システムにおいて、段数オーバーとなった子機が発信した通報電文を親機に伝達することができる。
【図面の簡単な説明】
【００１９】
【図１】本発明の実施形態に係る遠隔監視システムの構成を示す図である。
【図２】図１に示されている遠隔監視システムにおいて子機の段数が変化した状態を示す図である。
【図３】図１に示されている遠隔監視システムにおける子機の概略構成を示すブロック図である。
【図４】本発明の実施形態に係る遠隔監視システムにおける子機の第１の動作例を示すフローチャートである。
【図５】本発明の実施形態に係る遠隔監視システムにおける子機の第２の動作例を示すフローチャートである。
【図６】本発明の実施形態に係る遠隔監視システムにおいて、段数オーバーが発生していないときの動作を示すシーケンス図である。
【図７】図６に示されているシーケンスで通報される電文の概略構成を示す図である。
【図８】本発明の実施形態に係る遠隔監視システムにおいて、段数オーバーが発生したときの動作を示すシーケンス図である。
【図９】図８に示されているシーケンスで通報される電文の一例の概略構成を示す図である。
【図１０】図８に示されているシーケンスで通報される電文の別の一例の概略構成を示す図である。
【発明を実施するための形態】
【００２０】
以下、本発明の実施形態について図面を参照して詳細に説明する。
〈遠隔監視システムの構成〉
図１は、本発明の実施形態に係る遠隔監視システムの構成を示す図である。
【００２１】
この遠隔監視システムは、例えば、ガスメータや水道メータの自動検針に用いられるものであって、センタ装置１と、親機２及び多段構成の複数の子機（１段目子機３ａ，３ｄ、２段目子機３ｂ，３ｅ、３段目子機３ｃ，３ｆ）からなる本発明の実施形態に係る無線通信システムとを有する。
【００２２】
親機２とセンタ装置１との間の通信は携帯電話回線等の公衆通信回線ＮＷを介して行う。また、親機２、１段目の子機３ａ，３ｄ、２段目の子機３ｂ，３ｅ、及び３段目の子機３ｃ，３ｆにより構成される無線通信システム内の無線通信は特定小電力無線などを用いて行う。
【００２３】
各子機にはガスメータ、水道メータ、ガス漏れ検知器等のセンサが接続されており、それらのセンサで生成された監視情報を取得し、上位の子機経由で、即ち上位の子機を中継子機として親機２に通知するマルチホップ通信を行う。
【００２４】
なお、以下の説明では、各子機を区別しないときは子機３とする。また、親機と子機を区別しないときは端末とする。この遠隔監視システムでは、無線通信システム内の子機の段数は３段に制限されている。
【００２５】
〈子機の段数の変化〉
図２は、図１に示されている遠隔監視システムにおいて子機の段数が変化した状態を示す図である。ここで、図２Ａは、図１における子機３ａの通信ルート（通信相手となる直上の端末）が親機２から子機３ｄに変化した場合を示し、図２Ｂは、図１における子機３ｂの直上の端末が子機３ａから子機３ｅに変化した場合を示す。
【００２６】
図２Ａの場合、子機３ａの段数が１段目から２段目に増加したことに伴い、その配下の子機３ｂ，３ｃの段数は、それぞれ３段目，４段目となる。この場合、新たに通信ルートを登録した子機３ａは自端末が１段目から２段目に変化したことを知っているが、子機３ｂと子機３ｃは、自端末の段数が１段ずつ増えて、それぞれ３段目、４段目になったことを知らない。つまり、子機３ｃは、自端末が段数オーバーとなり、無線通信システム内に段数オーバーが発生したことを知らない。
【００２７】
また、図２Ｂの場合、子機３ｂの段数が２段目から３段目に増加したことに伴い、その配下の子機３ｃの段数が４段目となる。この場合も、新たに通信ルートを登録した子機３ｂは自端末が２段目から３段目に変化したことを知っているが、子機３ｃは、自端末の段数が１段増えて、４段目になったこと、つまり自端末が段数オーバーとなり、無線通信システム内に段数オーバーが発生したことを知らない。
【００２８】
〈子機の概略構成〉
図３は、図１に示されている遠隔監視システムにおける子機の概略構成を示すブロック図である。
【００２９】
図示のように、子機３は、制御部３１と、それぞれが制御部３１に接続された記憶部３２、無線送受信部３３、外部Ｉ／Ｆ（インタフェース）部３４、表示部３５、及び操作入力部３６を備えている。無線送受信部３３にはアンテナ３７が接続されている。
【００３０】
制御部３１は、例えばマイクロプロセッサ及びその周辺回路などで構成され、子機３全体の制御や演算処理等を行う。また、制御部は、記憶部３２に記憶されている各種プログラムを実行することで、実現される手段として段数オーバー判断手段３１１及びルート情報処理手段３１２を備えている。
【００３１】
記憶部３２は、ＲＯＭ等不揮発性メモリ、フラッシュメモリなどの書換え可能な不揮発性メモリ、ＲＡＭなどの揮発性メモリからなる。そして、ＲＯＭには子機３を動作させるために必要な制御プログラムが記憶されている。また、ＲＡＭには制御部３１が実行中の各プログラムや、それらの実行に必要な情報（端末番号、無線チャネル、電界強度、自端末の段数、各種テーブル等）が格納される。また、書換え可能な不揮発性メモリには、各種設定データなどが記憶される。
【００３２】
無線送受信部３３は、特定小電力無線などにより、他の子機３や親機２との間で無線通信を行う。外部Ｉ／Ｆ部３４にはガスメータ、水道のメータ等の外部機器が接続される。表示部３５は、ＬＥＤなどで構成されており、子機３の動作状態などを表示するユーザＩ／Ｆである。操作入力部３６は、ボタンやスイッチ等からなり、子機３に対する所定の設定を入力するためのユーザＩ／Ｆである。
【００３３】
〈子機の第１の動作例〉
図４は、本発明の実施形態に係る遠隔監視システムにおける子機の第１の動作例を示すフローチャートである。この動作例では、直下の子機から通報電文を受信した子機が、通報電文に含まれている通報ルート情報（発信元子機から直下の子機までの端末ＩＤ）に基づいて、段数オーバーが発生したと判断したときに、直下の子機の端末ＩＤを自端末の端末ＩＤに書換えて、すなわち改竄して、直上の端末に送信する。これにより、通報電文の発信元子機が段数オーバーとなり、中継子機で段数オーバーが発生したと判断されたときに、通報電文を、親機を介してセンタ装置に伝達することができる。
【００３４】
子機は、直下の端末から通報電文を無線送受信部３３により受信すると、受信した電文中の通報ルート情報をルート情報処理手段３１２により解析し（ステップＳＴ１）、自端末の端末ＩＤを付加するエリアがあるか否か、すなわち３段分の端末ＩＤの格納エリアが埋まっているか否かを段数オーバー判断手段３１１により判断する（ステップＳＴ２）。
【００３５】
自端末の端末ＩＤを付加するエリアがあると判断した場合（ステップＳＴ２：Yes）、すなわち段数オーバーが発生していないと判断された場合、ルート情報処理手段３１２により、受信した通報電文中の通報ルート情報に自端末の端末ＩＤを付加する（ステップＳＴ３）。
【００３６】
これに対し、自端末の端末ＩＤを付加するエリアがないと判断した場合（ステップＳＴ２：No）、すなわち段数オーバーが発生したと判断された場合、ルート情報処理手段３１２により、受信した通報電文中の通報ルート情報のうちの直下の子機の端末ＩＤに自端末の端末ＩＤを上書きして書換える（ステップＳＴ４）。
【００３７】
次に、ステップＳＴ３又はＳＴ４の実行により生成された新たな通報ルート情報を有する電文を無線送受信部３３により直上の端末に送信する（ステップＳＴ５）。
【００３８】
したがって、図１に示されている遠隔監視システムにおいては、例えば子機３ｃが通報電文の発信元子機であった場合、子機３ａは、通報ルート情報として子機３ｃの端末ＩＤ及び子機３ｂの端末ＩＤを有する通報電文を受信したとき、自端末の端末ＩＤを付加して親機２に送信する。
【００３９】
また、図２Ａに示されている遠隔監視システムにおいては、例えば子機３ｃが通報電文の発信元子機であった場合、子機３ｄは、通報ルート情報として子機３ｃ、子機３ｂ、子機３ａの各端末ＩＤを有する通報電文を受信したとき、子機３ａの端末ＩＤを自端末の端末ＩＤに書換えて親機２に送信する。
【００４０】
また、図２Ｂに示されている遠隔監視システムにおいては、例えば子機３ｃが通報電文の発信元子機であった場合、子機３ｄは、通報ルート情報として子機３ｃ、子機３ｂ、子機３ｅの各端末ＩＤを有する通報電文を受信したとき、子機３ｅの端末ＩＤ自端末の端末ＩＤに書換えて親機２に送信する。
【００４１】
〈子機の第２の動作例〉
図５は、本発明の実施形態に係る遠隔監視システムにおける子機の第２の動作例を示すフローチャートである。この動作例では、直下の子機から通報電文を受信した子機が、段数オーバーが発生したと判断したときに、少なくとも直下の子機の端末ＩＤを、段数オーバーが発生したことを表す所定の情報に書換えて、直上の端末に送信する。これにより、通報電文の発信元子機が段数オーバーとなり、中継子機で段数オーバーが発生したと判断されたとき、通報電文を、親機を介してセンタ装置に伝達することができることに加えて、段数オーバーが発生したことを、親機を介してセンタ装置に伝達することができる。
【００４２】
図５において、ステップＳＴ１１，ＳＴ１２，ＳＴ１３，ＳＴ１５は図４におけるステップＳＴ１，ＳＴ２，ＳＴ３，ＳＴ５と同じである。つまり、ステップＳＴ１４のみがステップＳＴ４と異なる。
【００４３】
ステップＳＴ１４では、自端末の端末ＩＤを付加するエリアがないと判断した場合（ステップＳＴ１２：No）、すなわち段数オーバーがあると判断された場合、受信した通報電文中の通報ルート情報のうちの直下の子機の端末ＩＤを、段数オーバーが発生したことを表す所定の情報（例えばオールスペース：0x20）を上書きして書換える（改竄する）。なお、このステップにおいて、直下の子機及びその直下の子機の端末ＩＤ、換言すれば発信元子機以外の端末ＩＤを、段数オーバーが発生したことを表す所定の情報に書換えてもよい。
【００４４】
したがって、図２Ａに示されているシステムにおいては、例えば子機３ｃが通報電文の発信元子機であった場合、子機３ｄは、通報ルート情報として子機３ｃ、子機３ｂ、子機３ａの各端末ＩＤを有する通報電文を受信したとき、子機３ａの端末ＩＤを、段数オーバーが発生したことを表す所定の情報に書換えて親機２に送信する。
【００４５】
〈段数オーバーが発生していないときの動作〉
図６は、本発明の実施形態に係る遠隔監視システムにおいて、段数オーバーが発生していないときの動作を示すシーケンス図であり、図７は、図６に示されているシーケンスで通報される電文の概略構成を示す図である。ここでは、子機３ｃが通報電文の発信元子機の場合の動作を説明する。
【００４６】
図６に示されているように、子機３ｃは子機３ｃ−子機３ｂ−子機３ａ−親機２の通信ルートで親機２に無線接続されている、すなわち、図１に示されている無線接続状態であり、子機３ａ、子機３ｂ、子機３ｃの段数は、それぞれ１段、２段、３段である。段数オーバーが発生していないので、このシーケンスにおいて、子機３ｂ及び子機３ａは、図４における「ＳＴ２：Yes」（段数オーバーなし）、又は図５における「ＳＴ１２:Yes」（段数オーバーなし）の場合の動作を行う。
【００４７】
子機３ｃは直上の端末である子機３ｂに通報電文を発信する（シーケンスＳ１）。この通報電文は、図７Ａに示されているように、データとしての通報したい内容と通報ルート情報としての自端末の端末ＩＤを有する。子機３ｂは、子機３ｃから通報電文を受信し、その応答としてＡＣＫを子機３ｃに送信する（シーケンスＳ２）。
【００４８】
次に、子機３ｂは、直上の端末である子機３ａに通報電文を送信する（シーケンスＳ３）。この通報電文は、図７Ｂに示されているように、子機３ｃからの通報電文中の通報ルート情報に自端末の端末ＩＤを付加したものである。子機３ａは、子機３ｂから通報電文を受信し、その応答としてＡＣＫを子機３ｂに送信する（シーケンスＳ４）。
【００４９】
次に、子機３ａは、直上の端末である親機２に通報電文を送信する（シーケンスＳ５）。この通報電文は、図７Ｃに示されているように、子機３ｂからの通報電文中の通報ルート情報に自端末の端末ＩＤを付加したものである。親機２は、子機３ａから通報電文を受信し、その応答としてＡＣＫを子機３ａに送信する（シーケンスＳ６）。
【００５０】
次に、親機２は、センタ装置１に通報電文を送信する（シーケンスＳ７）。この通報電文は、図７Ｄに示されているように、子機３ａからの通報電文中の通報ルート情報に自端末の端末ＩＤを付加したものである。センタ装置１は、親機２から通報電文を受信し、その応答としてＡＣＫを親機２に送信する（シーケンスＳ８）。
【００５１】
次に、センタ装置１は、親機２に対して、通信終了などの下り電文を送信し（シーケンスＳ９）、親機２は、センタ装置１から通信終了などの下り電文を受信し、その応答としてＡＣＫをセンタ装置１に送信する（シーケンスＳ１０）。以後、親機２と子機３ａとの間、子機３ａと子機３ｂとの間、及び子機３ｂと子機３ｃとの間で、下り電文の送信（シーケンスＳ１１，Ｓ１３，Ｓ１５）と、それに対するＡＣＫの返信（シーケンスＳ１２，Ｓ１４，Ｓ１６）のやりとりを行う。
【００５２】
〈段数オーバーが発生したときの動作〉
図８は、本発明の実施形態に係る遠隔監視システムにおいて、段数オーバーが発生したときの動作を示すシーケンス図であり、図９は、図８に示されているシーケンスで通報される電文の一例の概略構成を示す図である。ここでは、図２Ａに示されている遠隔監視システムにおいて、子機３ｃが通報電文の発信元子機の場合の動作を説明する。
【００５３】
図８に示されているように、子機３ｃは子機３ｃ−子機３ｂ−子機３ａ−子機３ｄ−親機２の通信ルートで親機２に無線接続されている。すなわち、子機３ｄ、子機３ａ、子機３ｂ、子機３ｃの段数は、それぞれ１段目、２段目、３段目、４段目であり、子機３ｃは段数オーバーとなっている。このシーケンスでは、子機３ｂ及び子機３ａは、図４における「ＳＴ２：Yes」（段数オーバーなし）の動作を行い、子機３ｄは図４における「ＳＴ２：No」（段数オーバーあり）の動作を行う。
【００５４】
図８において、シーケンスＳ１０１，Ｓ１０２，Ｓ１０３，Ｓ１０４は、それぞれ図６におけるシーケンスＳ１，Ｓ２，Ｓ３，Ｓ４と同じであり、シーケンスＳ１０１，Ｓ１０３で送信される通報電文も図９Ａ，図９Ｂに示されているように、図７Ａ，図７Ｂに示されている通報電文と同じである。また、シーケンスＳ１０５，Ｓ１０６も通信相手端末が異なること以外は図６におけるシーケンスＳ５，Ｓ６と同じであり、シーケンスＳ１０５で送信される通報電文も図９Ｃに示されているように、図７Ｃに示されている通報電文と同じである。
【００５５】
次に、子機３ｄは、子機３ａから受信した通報電文中の通報ルート情報に基づいて、段数オーバーと判断する。すなわち、３段分の端末ＩＤの格納エリアが埋まっていることから、段数オーバーであると判断する。そして、直下の子機である子機３ａの端末ＩＤを自端末の端末ＩＤに書換え、その通報ルート情報持つ図９Ｄに示されている通報電文を直上の端末である親機２に送信する（シーケンスＳ１０７）。
【００５６】
親機２は、子機３ｄから通報電文を受信し、その応答としてＡＣＫを子機３ｄに送信する（シーケンスＳ１０８）。次に、親機２は、センタ装置１に通報電文を送信する（シーケンスＳ１０９）。この通報電文は、図９Ｅに示されているように、子機３ｄからの通報電文中の通報ルート情報に自端末の端末ＩＤを付加したものである。つまり、段数オーバーが発生していない通信ルートとして通報する。なお、図９Ｆは、センタ装置１には届かないが、本来あるべき通報電文である。
【００５７】
センタ装置１は、親機２から通報電文を受信し、その応答としてＡＣＫを親機２に送信する（シーケンスＳ１１０）。次に、センタ装置１は、親機２に対して、通信終了などの下り電文を送信し（シーケンスＳ１１１）、親機２は、センタ装置１から下り電文を受信し、その応答としてＡＣＫをセンタ装置１に送信する（シーケンスＳ１１２）。以後、親機２と子機３ｄとの間、子機３ｄと子機３ａとの間、子機３ａと子機３ｂとの間、及び子機３ｂと子機３ｃとの間で、下り電文の送信（シーケンスＳ１１３，Ｓ１１５，Ｓ１１７，Ｓ１１９）と、それに対するＡＣＫの返信（シーケンスＳ１１４，Ｓ１１６，Ｓ１１８，Ｓ１２０）のやりとりを行う。このとき、端末ＩＤを書換えた子機３ｄは、子機３ａから通報電文を受信したことが分っている（通信状態を保持している）ため、下り電文を子機３ａ宛に送信する際に問題は起こらない。
【００５８】
図１０は、図８に示されているシーケンスで通報される電文の別の一例の概略構成を示す図である。ここで、図１０Ａ，Ｂ，Ｃに示されている通報電文は、それぞれ図８におけるシーケンスＳ１０１，Ｓ１０３，Ｓ１０５で送信される通報電文であり、図９Ａ，Ｂ，Ｃに示されている通報電文と同じである。
【００５９】
また、図１０Ｄに示されている通報電文は、図８におけるシーケンスＳ１０７で送信される通報電文である。この通報電文は、子機３ａの端末ＩＤを、段数オーバーが発生したことを表す情報ＳＰ（例えばオールスペース：0x20）に書換えたものである。
【００６０】
また、図１０Ｅ，Ｆに示されている通報電文は、図８におけるシーケンスＳ１０９で選択的に送信される通報電文である。ここで、図１０Ｅは、子機３ｄから図１０Ｄに示されている通報電文を受信した親機２がセンタ装置１に送信する通報電文である。また、図１０Ｆは、子機３ｄが、子機３ａの通報ルート情報及び子機３ｂの端末ＩＤ、換言すれば発信元子機以外の端末ＩＤを、段数オーバーが発生したことを表す情報ＳＰに書換えた通報電文を親機２に送信した場合に、親機２からセンタ装置１に送信される通報電文である。
【００６１】
センタ装置１は、図１０Ｅ又は図１０Ｆに示されている通報電文を受信することで、子機３ｃの通報したいデータを内容だけでなく、段数オーバーが発生したことも認識することができる。
【００６２】
以上、図２Ａに示されている段数オーバーが発生している場合の動作シーケンスについて説明した。図２Ｂに示されている段数オーバーが発生している場合の動作シーケンスは図８における子機３ａを３ｅに代えたものとなる。
【００６３】
以上詳細に説明したように、本発明の実施形態に係る無線通信システムによれば、下記（１）〜（３）の効果が得られる。
（１）段数オーバーとなった子機が発信した通報電文を、親機を介してセンタ装置に伝達することができる。
（２）段数オーバーとなった子機が通報失敗と判断し、複数保持している通信ルートを切り替えながら再発信することや、新たに通信ルートを登録し、その通信ルートに切り替えながら、再発信することがなくなる。
（３）段数オーバーが発生したと判断した中継子機が、そのことを別途センタ装置に通報する手順を実行しなくても、そのことをセンタ装置に認識させることができる。
【符号の説明】
【００６４】
２…親機、３ａ〜３ｆ…子機、３３…無線送受信部、３１１…段数オーバー判断手段、３１２…ルート情報処理手段。
【図１】
2019165403.tif 000003
【図２】
2019165403.tif 000004
【図３】
2019165403.tif 000005
【図４】
2019165403.tif 000006
【図５】
2019165403.tif 000007
【図６】
2019165403.tif 000008
【図７】
2019165403.tif 000009
【図８】
2019165403.tif 000010
【図９】
2019165403.tif 000011
【図１０】
2019165403.tif 000012